(57)【要約】【課題】有効期限を過ぎたコンテンツ情報の提示を抑止し、有効期限を過ぎたコンテンツ情報による利便性の低下を防止すること。【解決手段】路側無線装置を介して有効期限情報を含むコンテンツ情報を送信するセンター装置と、当該コンテンツ情報を受信する車載器と、が路側無線装置を介してデータ送受信可能に接続された配信システムにおいて、センター装置は、複数の前記コンテンツ情報と当該コンテンツ情報の代替となる代替コンテンツ情報とを記憶する記憶部３４と、コンテンツ情報又は代替コンテンツ情報を車載器に送信させる制御部３１と、を備え、車載器は、ＤＳＲＣ部３により受信した複数の前記コンテンツ情報と代替コンテンツ情報とを記憶する記憶部１ｆと、コンテンツ情報の有効期限情報に応じて当該コンテンツ情報又は代替コンテンツ情報を表示部１ｅに表示させる制御部４と、を有する。【選択図】図１２
2010054275.tif 000002
【特許請求の範囲】
【請求項１】
路側無線装置を介して有効期限情報を含むコンテンツ情報を送信するセンター装置と、当該コンテンツ情報を受信する車載器と、が前記路側無線装置を介してデータ送受信可能に接続された配信システムにおいて、
前記センター装置は、
前記路側無線装置を介して前記車載器に前記コンテンツ情報を送信する第１通信手段と、
複数の前記コンテンツ情報と、前記コンテンツ情報の代替となる代替コンテンツ情報と、を記憶する第１記憶手段と、
前記コンテンツ情報又は前記代替コンテンツ情報を前記第１通信手段により前記車載器に送信させる第１制御手段と、を備え、
前記車載器は、
前記路側無線装置を介して前記センター装置から前記コンテンツ情報を受信する第２通信手段と、
前記第２通信手段により受信した複数の前記コンテンツ情報と前記代替コンテンツ情報とを記憶する第２記憶手段と、
前記コンテンツ情報の有効期限情報に応じて当該コンテンツ情報又は前記代替コンテンツ情報を表示手段に表示させる第２制御手段と、
を備える配信システム。
【請求項２】
路側無線装置を介して有効期限情報を含むコンテンツ情報を車載器に送信するセンター装置において、
前記路側無線装置を介して前記車載器に前記コンテンツ情報を送信する第１通信手段と、
複数の前記コンテンツ情報と、前記コンテンツ情報の有効期限情報が現在の日時情報よりも前の日時である場合に代替される代替コンテンツ情報とを記憶する第１記憶手段と、
前記コンテンツ情報又は前記代替コンテンツ情報を前記第１通信手段により前記車載器に送信させる第１制御手段と、
を備えるセンター装置。
【請求項３】
前記コンテンツ情報は当該コンテンツ情報を識別する識別情報を含み、
前記第１制御手段は、
前記車載器に記憶されている前記コンテンツ情報の識別情報を含む配信要求情報を前記第１通信手段により受信し、当該受信した配信要求情報に含まれる識別情報に対応する前記第１記憶手段に記憶されているコンテンツ情報の有効期限情報と現在の日時情報とを比較し、当該現在の日時情報よりも前の日時の有効期限情報のコンテンツ情報がある場合、当該コンテンツ情報と同一の識別情報を設定した代替コンテンツ情報を前記第１通信手段により前記車載器に送信させる、
請求項２に記載のセンター装置。
【請求項４】
前記第１制御手段は、
前記代替コンテンツ情報を前記コンテンツ情報の送信以前に前記第１通信手段により前記車載器に送信させる、
請求項２に記載のセンター装置。
【請求項５】
路側無線装置を介して有効期限情報を含むコンテンツ情報をセンター装置から受信する車載器において、
前記路側無線装置を介して前記センター装置から前記コンテンツ情報を受信する第２通信手段と、
前記第２通信手段により受信した複数の前記コンテンツ情報と前記コンテンツ情報の代替となる代替コンテンツ情報とを記憶する第２記憶手段と、
前記コンテンツ情報の有効期限情報に応じて前記コンテンツ情報又は前記代替コンテンツ情報を表示手段に表示させる第２制御手段と、
を備える車載器。
【請求項６】
前記コンテンツ情報は当該コンテンツ情報を識別する識別情報を含み、
前記第２制御手段は、
前記第２記憶手段に記憶されている前記コンテンツ情報の識別情報を含む配信要求情報を前記第２通信手段により前記センター装置に送信させ、前記第２記憶手段に記憶されている前記コンテンツ情報のうち、受信した前記代替コンテンツ情報と同一の識別情報のコンテンツ情報に当該代替コンテンツ情報を上書きして記憶させる、
請求項５に記載の車載器。
【請求項７】
前記第２制御手段は、
前記表示手段に前記コンテンツ情報を表示させる際、当該コンテンツ情報の有効期限情報が現在の日時情報よりも前の日時である場合、前記代替コンテンツ情報を前記表示手段に表示させる、
請求項５に記載の車載器。
【発明の詳細な説明】
【技術分野】
【０００１】
本発明は、配信システム、センター装置及び車載器に関する。
【背景技術】
【０００２】
近年、ＤＳＲＣ（Dedicated Short Range Communication）等を利用して路上に設置された路側無線装置と狭域無線通信を行い、当該路側無線装置を介してセンター装置から情報提供を受けることが可能な車載器がある。
【０００３】
このような車載器を用いたシステムとしては、車両が路側無線装置の通信範囲内にある間のみ、車両に搭載された車載器と路側無線装置との双方向通信が可能となり、この間にセンター装置が路側無線装置を介して、コンテンツ情報（例えば、周辺の店舗や医療機関の情報、広告等）を配信するものがある。
【０００４】
例えば、配信された配信情報を記憶することにより、路側無線装置と通信できない環境においても、当該配信情報を再生可能とする車載器が開示されている（特許文献１参照）。
【特許文献１】特開２００７−１０９０３２号公報
【発明の開示】
【発明が解決しようとする課題】
【０００５】
車載器が受信するコンテンツ情報には、有効期限が定められたものが検討されている。
当該有効期限は、当該コンテンツ情報を提供する事業者等により、コンテンツ情報の有効期間を示す開始日時と終了日時とが予め設定することが検討されている。
【０００６】
車載器は、有効期限内のコンテンツ情報を提供するが、有効期限を過ぎたコンテンツ情報の取り扱いは任意であるため、有効期限を過ぎたコンテンツ情報を保有し提示することも可能である。
従って、有効期限を過ぎたコンテンツ情報を提示したくない事業者にとっては、このような車載器では、当該コンテンツ情報の提示を抑止することができないという問題がある。また、ユーザは、有効期限を過ぎたコンテンツ情報が引き続き提示されると、提示されたコンテンツ情報は有効期限内であるのではないかと混乱する可能性があり、常に提示されるコンテンツ情報の有効期限を意識しなくてはならない。
【０００７】
本発明の課題は、上記問題に鑑みて、有効期限を過ぎたコンテンツ情報の提示を抑止し、有効期限を過ぎたコンテンツ情報による利便性の低下を防止することである。
【課題を解決するための手段】
【０００８】
請求項１に記載の発明は、路側無線装置を介して有効期限情報を含むコンテンツ情報を送信するセンター装置と、当該コンテンツ情報を受信する車載器と、が前記路側無線装置を介してデータ送受信可能に接続された配信システムにおいて、前記センター装置は、前記路側無線装置を介して前記車載器に前記コンテンツ情報を送信する第１通信手段と、複数の前記コンテンツ情報と、前記コンテンツ情報の代替となる代替コンテンツ情報と、を記憶する第１記憶手段と、前記コンテンツ情報又は前記代替コンテンツ情報を前記第１通信手段により前記車載器に送信させる第１制御手段と、を備え、前記車載器は、前記路側無線装置を介して前記センター装置から前記コンテンツ情報を受信する第２通信手段と、前記第２通信手段により受信した複数の前記コンテンツ情報と前記代替コンテンツ情報とを記憶する第２記憶手段と、前記コンテンツ情報の有効期限情報に応じて当該コンテンツ情報又は前記代替コンテンツ情報を表示手段に表示させる第２制御手段と、を備える配信システムである。
【０００９】
請求項２に記載の発明は、路側無線装置を介して有効期限情報を含むコンテンツ情報を車載器に送信するセンター装置において、前記路側無線装置を介して前記車載器に前記コンテンツ情報を送信する第１通信手段と、複数の前記コンテンツ情報と、前記コンテンツ情報の有効期限情報が現在の日時情報よりも前の日時である場合に代替される代替コンテンツ情報とを記憶する第１記憶手段と、前記コンテンツ情報又は前記代替コンテンツ情報を前記第１通信手段により前記車載器に送信させる第１制御手段と、を備えるセンター装置である。
【００１０】
請求項３に記載の発明は、請求項２に記載のセンター装置において、前記コンテンツ情報は当該コンテンツ情報を識別する識別情報を含み、前記第１制御手段は、前記車載器に記憶されている前記コンテンツ情報の識別情報を含む配信要求情報を前記第１通信手段により受信し、当該受信した配信要求情報に含まれる識別情報に対応する前記第１記憶手段に記憶されているコンテンツ情報の有効期限情報と現在の日時情報とを比較し、当該現在の日時情報よりも前の日時の有効期限情報のコンテンツ情報がある場合、当該コンテンツ情報と同一の識別情報を設定した代替コンテンツ情報を前記第１通信手段により前記車載器に送信させる。
【００１１】
請求項４に記載の発明は、請求項２に記載のセンター装置において、前記第１制御手段は、前記代替コンテンツ情報を前記コンテンツ情報の送信以前に前記第１通信手段により前記車載器に送信させる。
【００１２】
請求項５に記載の発明は、路側無線装置を介して有効期限情報を含むコンテンツ情報をセンター装置から受信する車載器において、前記路側無線装置を介して前記センター装置から前記コンテンツ情報を受信する第２通信手段と、前記第２通信手段により受信した複数の前記コンテンツ情報と前記コンテンツ情報の代替となる代替コンテンツ情報とを記憶する第２記憶手段と、前記コンテンツ情報の有効期限情報に応じて前記コンテンツ情報又は前記代替コンテンツ情報を表示手段に表示させる第２制御手段と、を備える車載器である。
【００１３】
請求項６に記載の発明は、請求項５に記載の車載器において、前記コンテンツ情報は当該コンテンツ情報を識別する識別情報を含み、前記第２制御手段は、前記第２記憶手段に記憶されている前記コンテンツ情報の識別情報を含む配信要求情報を前記第２通信手段により前記センター装置に送信させ、前記第２記憶手段に記憶されている前記コンテンツ情報のうち、受信した前記代替コンテンツ情報と同一の識別情報のコンテンツ情報に当該代替コンテンツ情報を上書きして記憶させる。
【００１４】
請求項７に記載の発明は、請求項５に記載の車載器において、前記第２制御手段は、前記表示手段に前記コンテンツ情報を表示させる際、当該コンテンツ情報の有効期限情報が現在の日時情報よりも前の日時である場合、前記代替コンテンツ情報を前記表示手段に表示させる。
【発明の効果】
【００１５】
本発明によれば、有効期限を過ぎたコンテンツ情報の提示を抑止し、有効期限を過ぎたコンテンツ情報による利便性の低下を防止することができる。
【発明を実施するための最良の形態】
【００１６】
［第１実施形態］
以下、図を参照して本発明の第１実施形態を詳細に説明する。
まず、構成を説明する。
図１に、本第１実施形態における配信システム１００の構成図を示す。
配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。
路側無線装置２０は路上や駐車場等に設置され、各路側無線装置２０はネットワークＮを介してセンター装置３０と接続されている。また、路側無線装置２０と、車両Ｃの車載器１０とはＤＳＲＣ通信が可能である。
【００１７】
なお、コンテンツ情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始日時や終了日時）、サービスを提供可能な対象地点の情報（例えば、広告している店舗の地点を示す緯度経度や店舗名等）、指定したコンテンツの通知を行うポップアップの再生をする地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報である。詳細は後述する。
【００１８】
図１では１台のセンター装置３０のみ示したが、コンテンツ情報を配信する配信事業者は複数あり、センター装置３０は配信事業者毎に備えられるものであってもよい。
【００１９】
以下、各構成装置について詳細に説明する。
図２に、路側無線装置及び路側エリアを説明するための図を示す。
路側無線装置２０は、図２に示すように本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２０】
ＤＳＲＣは５．８ＧＨｚ帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００２１】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。なお、ここでは本体装置２０ａはセンター装置３０と別体として説明したが、本体装置２０ａがセンター装置３０の一部又は全部の機能を兼ね備えるようにしてもよい。
【００２２】
車載器１０は、車両Ｃに搭載され、搭載された車両Ｃを目的地へ誘導するための処理等を行うナビゲーション機能の他、ＤＳＲＣによるＥＴＣ（Electronic Toll Collection System）利用のための処理を行う機能等を有している。
【００２３】
図３に、本第１実施形態における車載器１０の構成を示す。
図３に示すように、車載器１０は、カーナビ部１、ＶＩＣＳ（Vehicle Information and Communication System）モジュール２、ＤＳＲＣ部３、制御部４、無線通信部５等を備えて構成されている。なお、無線通信部５は必要に応じて備えていることが好ましい。
【００２４】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導するための処理を行う。
【００２５】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させる。
【００２６】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車両Ｃの加速度を検出し、方位センサは地磁気の検出を行って車両Ｃの絶対方位を検出する。現在地検出部１ｂは、これらセンサから取得した各検出結果に基づいて車両Ｃの現在地を示す位置情報（経度、緯度等の情報）を生成し、カーナビ制御部１ａに出力する。
【００２７】
地図記憶部１ｃは、メモリやＤＶＤ等の記録媒体から構成され、案内表示に必要な地図情報、ＶＩＣＳモジュール２を介して受信されるガイド情報（道路情報、渋滞情報等）等を記憶している。地図情報は、表示用の地図画面、経路探索用の情報、施設や公園等の地点の情報等を含んでいる。地点の情報は、例えば地点の名称、緯度経度、住所、電話番号等である。
【００２８】
入力部１ｄは、操作キーや表示部１ｅのモニタと一体に構成されるタッチパネル等から構成されている。入力部１ｄは、これらの操作に対応する操作信号を生成し、カーナビ制御部１ａに出力する。
【００２９】
表示部１ｅは、モニタを備え、制御部４やカーナビ制御部１ａ表示制御に従ってモニタ上に各種情報を表示する。例えば、設定画面や地図画面、センター装置３０から受信したコンテンツ情報のコンテンツの画面等の各種画面を表示し、表示手段として機能する。
【００３０】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から受信した複数のコンテンツ情報や代替コンテンツ情報を記憶し、第２記憶手段として機能する。
本第１実施形態の代替コンテンツ情報は、コンテンツ情報の有効期限情報が現在の日時情報よりも前の日時である場合にセンター装置から配信され、当該コンテンツ情報に上書きするコンテンツ情報である。
【００３１】
音声出力部１ｇは、音声処理部、Ｄ／Ａ変換器、増幅器、スピーカ等を備えて構成される。音声出力部１ｇは、制御部４やカーナビ制御部１ａから指示された音声データをＤ／Ａ変換器によりアナログ信号に変換してスピーカにより音声出力する。また、音声出力部１ｇは、制御部４やカーナビ制御部１ａから指示された表音文字列データに基づいて音声処理部により合成音声信号を生成し、スピーカにより音声出力する。
【００３２】
ＶＩＣＳモジュール２は、光通信用、ＦＭ通信用、２．４ＧＨｚ電波通信用のアンテナをそれぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００３３】
ＤＳＲＣ部３は、ＤＳＲＣ制御部３ａ、ＤＳＲＣ通信部３ｂ、記憶部３ｃ、ＥＴＣ処理部３ｄ、ＩＣカードＩ／Ｆ部３ｅを備えて構成されており、ＤＳＲＣによるＥＴＣ利用のための処理や、センター装置３０からコンテンツ情報や代替コンテンツ情報等の各種情報を受信するための通信処理等を行い、第２通信手段として機能する。
【００３４】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際は、ＤＳＲＣ通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
【００３５】
また、ＤＳＲＣ制御部３ａは、センター装置３０からコンテンツ情報等の受信要求を行う際は、制御部４の指示に従って記憶部３ｃのアップリンク情報記憶領域３ｃ１に記憶されている各種情報を、ＤＳＲＣ通信部３ｂにより路側無線装置２０を介してセンター装置３０に送信させる一方、ＤＳＲＣ通信部３ｂにより路側無線装置２０を介してコンテンツ情報等を受信した場合はこれを制御部４に出力する。
【００３６】
ＤＳＲＣ通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００３７】
記憶部３ｃは、ＤＳＲＣ制御部３ａにより実行される制御プログラム等を記憶している。また、記憶部３ｃには、アップリンク情報記憶領域３ｃ１が設けられている。アップリンク情報記憶領域３ｃ１は、センター装置３０に情報を提供するために専用に設けられた記憶領域であり、アップリンク情報の他、車載器１０の特性情報が記憶される。
【００３８】
特性情報とは、車載器１０の機器特性に関する情報をいう。特性情報には、車載器１０に個々に割り振られたＩＤ（以下、車載器ＩＤという）、車載器１０が対応できる言語、地図の測地系、著作権管理技術、表示部１ｅのモニタの解像度、ＳＶＧ（Scalable Vector Graphics）の対応性、コンテンツ情報を蓄積可能な記憶容量等の情報が含まれる。
【００３９】
アップリンク情報とは、センター装置３０において配信するコンテンツ情報を選択するために用いる情報であり、記憶部１ｆに記憶されているコンテンツ情報の後述する情報コードを含む配信要求情報である。なお、アップリンク情報は、制御部４によってサービス事業者に応じた内容でサービス事業者毎に生成され、最新の内容となるように制御部４が常に更新を行っている。
【００４０】
図４に、アップリンク情報の例を示す。
図４に示すように、アップリンク情報は、サービス事業者コード（ユーザがコンテンツ情報の配信について契約をしたサービス事業者を示すコード）、車両Ｃの目的地、経由地数識別フラグ、経由地、嗜好ジャンルテーブルデータ、嗜好情報バージョン、会員情報、車両Ｃが過去に立寄った過去立寄地、車両Ｃに搭載されている車載器１０が受信し記憶しているコンテンツ情報の数を示す受信数識別フラグ、受信し記憶している各コンテンツ情報の受信／再生履歴等の情報が含まれている。
【００４１】
受信／再生履歴情報には、受信情報コードや再生識別フラグが含まれている。
受信情報コードは、車載器１０が受信したコンテンツ情報に付与されている識別コードである。再生識別フラグは、受信したコンテンツ情報が表示部１ｅに表示される等して再生されたか否かを示す情報である。なお、この受信／再生履歴情報に、再生時の緯度経度情報や時刻情報等が含まれてもよい。
【００４２】
ＥＴＣ処理部３ｄは、ＩＣカードＩ／Ｆ部３ｅに挿抜されるＩＣ付きクレジットカード又はデビットカード等に対して決済情報等の読み書きを行う。
【００４３】
ＩＣカードＩ／Ｆ部３ｅは、上記クレジットカード等のスロットを備え、このスロットに挿入されたクレジットカード等のＩＣとＥＴＣ処理部３ｄとの間で情報のやりとりを仲介する。
【００４４】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、ＤＳＲＣ部３のＤＳＲＣ通信動作や無線通信部５の通信動作を制御する。なお、ＤＳＲＣ部３の制御にあたってはＤＳＲＣ部３のＤＳＲＣ制御部３ａとの協働により制御を行う。その他、センター装置３０から受信したコンテンツ情報やＶＩＣＳモジュール２を介して受信した交通情報等の保存、再生制御等を行う。
【００４５】
また、制御部４は、ＣＰＵのクロックを利用して計時が可能であり、現在の日時情報を生成する内部タイマーとしての機能を有する。
【００４６】
更に制御部４は、記憶部１ｆに記憶されている受信したコンテンツ情報の情報コードである受信情報コードを含む配信要求情報としてのアップリンク情報をＤＳＲＣ部３によりセンター装置３０に送信させる。また、記憶部１ｆに記憶されているコンテンツ情報のうち、受信した代替コンテンツ情報と同一の情報コードのコンテンツ情報に当該代替コンテンツ情報を上書きして記憶させる。そして、入力部１ｄから入力された選択信号に応じて選択されたコンテンツ情報の有効期限情報に基づいて、当該コンテンツ情報又は代替コンテンツ情報を表示部１ｅに表示させる第２制御手段として機能する。
【００４７】
無線通信部５は、携帯電話やＰＨＳ、ＬＡＮカード等の無線通信デバイス４０を用いるＰＤＣ（Personal Digital Cellular）、ＣＤＭＡ（Code Division Multiple Access）の他、ＷｉＭＡＸ（World wide Interoperability for Microwave Access）等による無線通信が可能な通信モジュールを備えて、センター装置３０と無線通信を行う。
なお、このような無線通信手段だけでなく、有線通信手段（例えば、ＰＬＣ；Power Line Communication等）を備えてデータのやり取りを行ってもよい。
【００４８】
次に、センター装置３０について説明する。
センター装置３０は、複数のコンテンツ情報や代替コンテンツ情報を記憶し、これを車載器１０に配信する。
【００４９】
図５に、センター装置３０の機能的構成を示す。
図５に示すように、センター装置３０は制御部３１、入力部３２、表示部３３、記憶部３４、通信部３５を備えて構成されている。
【００５０】
制御部３１は、ＣＰＵ、ＲＡＭ等から構成され、記憶部３４に記憶された制御プログラムとの協働により各種演算を行う他、各部を集中制御する。例えば、制御部３１は車載器１０に配信するコンテンツ情報の編成を行う。編成とは、コンテンツ情報をはじめから作り出すことの他、予めコンテンツ情報を構成するのに必要なパーツの情報を記憶しておき、パーツの情報を用いてコンテンツ情報を組み立てたり、予め作成して記憶しておいたコンテンツ情報を変更、一部削除したり、他の情報を追加したりすることも含む。
【００５１】
また、制御部３１は、ＣＰＵのクロックを利用して計時が可能であり、現在の日時情報を生成する内部タイマーとしての機能を有する。
【００５２】
更に本第１実施形態の制御部３１は、受信したアップリンク情報に応じてコンテンツ情報又は代替コンテンツ情報を通信部３５により車載器１０に送信させる第１制御手段として機能する。制御部３１は、受信したアップリンク情報に含まれる受信情報コードに対応する記憶部３４に記憶されているコンテンツ情報の有効期限情報と現在の日時情報とを比較し、当該現在の日時情報よりも前の日時の有効期限情報のコンテンツ情報がある場合、当該コンテンツ情報と同一の情報コードを設定した代替コンテンツ情報を通信部３５により車載器に送信させる。
【００５３】
入力部３２はキーボード等を備えて操作入力を受け付け、当該操作入力に応じた操作信号を制御部３１に出力する。
【００５４】
表示部３３はディスプレイを備え、制御部３１の表示制御に従ってディスプレイ上に各種画面を表示する。
【００５５】
記憶部３４は、制御部３１により実行されるプログラムの他、プログラムの実行に必要な各種データを記憶する。ユーザはコンテンツ情報の配信サービスに加入する契約を行う際、会員登録を行うため、記憶部３４には、会員登録されたユーザの氏名、住所等の特定情報を会員データベースとして記憶する他、ユーザが所有する車載器１０の車載器ＩＤ等の情報をユーザ毎にデータベース化して記憶する。
【００５６】
また、記憶部３４は、コンテンツ情報と当該コンテンツ情報の有効期限情報が現在の日時情報よりも前の日時である場合に代替される代替コンテンツ情報、或いはコンテンツ情報又は代替コンテンツ情報の作成に用いるパーツの情報のデータベースを記憶する第１記憶手段として機能する。
センター装置３０では、記憶部３４に記憶されているデータベースからコンテンツ情報を取得し、必要であれば情報の削除、追加、変更等の編集を行って、配信するコンテンツ情報又は代替コンテンツ情報の編成を行う。配信するコンテンツ情報又は代替コンテンツ情報が複数ある場合は、それらをひとまとまりの配信グループとして車載器１０に送信する。
【００５７】
コンテンツ情報とは、店舗の広告や駐車場、医療施設の案内等のコンテンツ（テキスト情報、画像情報、音情報）だけではなく、コンテンツを提供するサービス事業者の情報等の他の配信すべき情報を含めたひとまとまりの情報をいう。
【００５８】
図６に、コンテンツ情報のフォーマットの一例を示す。
図６に示すように、コンテンツ情報には、個々にＩＤが付された情報、例えば構成ＩＤ情報、サービス事業者情報、情報提供企業情報、再生条件、有効期限、提供時間、対象地点情報、情報提供地点、遷移情報、駐車場満空情報、運転支援情報、嗜好データ等が含まれている。
【００５９】
ＩＤ＝００の構成ＩＤ情報は、コンテンツ情報内に含まれる情報のＩＤの一覧を示す（記述する）。ＩＤ＝００の構成ＩＤを参照することによりコンテンツ情報内にどの情報が含まれているかを判断することができる。
【００６０】
ＩＤ＝０１のサービス事業者情報は、サービス事業者を特定するための情報であり、例えば、事業者コード等である。
【００６１】
ＩＤ＝０２の情報提供企業情報は、コンテンツの情報に関する詳細な情報であり、例えば、サービス事業者によって割り当てられたコンテンツの提供元を示す企業コード、サービス事業者がコンテンツ情報毎にユニークに割り付けた情報コード、情報カテゴリを示す嗜好データカテゴリ等である。
【００６２】
ＩＤ＝０３の再生条件は、コンテンツ情報の再生条件に関する情報であり、例えば即時／蓄積コード等を含む。即時／蓄積コードとは受信完了後即時に再生するコンテンツであるか、受信したコンテンツ情報を路側エリアＺ外でも利用可能なコンテンツとして蓄積するかを表す識別子である。
【００６３】
ＩＤ＝０４の有効期限は、コンテンツの有効期限を示す情報であり、例えば、コンテンツの有効期限の開始日時を示す開始年月日時分、終了日時を示す終了年月日時分を秒単位で示している。
【００６４】
ＩＤ＝０５の提供時間は、コンテンツで示された店舗等の営業時間等である。
【００６５】
ＩＤ＝１０の対照地点情報は、サービスの提供が可能な店舗や施設などの対象地点についての情報である。対象地点情報としては、例えば、対象地点座標（緯度経度）、対象地点名称等を示す対象地点表示用テキスト、対象地点の説明や広告、お知らせ等の情報提供すべきコンテンツである表示用文字データ、表示画像データ、表音文字列データ、対象地点の情報を無線通信により提供する際のＵＲＬ、提携駐車場情報等からなる。提携駐車場情報とは、対象地点において提携指定されている駐車場に関する情報であり、例えば提携指定されている駐車場を示す駐車場ＩＤの情報である。
【００６６】
ＩＤ＝２０の情報提供地点の情報は、情報提供地点で再生させるコンテンツを含む。
情報提供地点は、特定の場所で特定の方向から車両Ｃが進入した際に、特定のコンテンツ情報を再生する地点であり、指定された位置を中心とする円状の提供範囲で規定される。ＩＤ＝２０の情報提供地点の情報は、この情報提供地点として指定された情報提供中心座標（緯度経度）、情報提供エリア、車両Ｃの進入方向を示す情報提供方向コード、情報提供地点で再生する表示画像データ、表音文字列データ等からなる。
【００６７】
ＩＤ＝３０の遷移情報は、複数のコンテンツ情報の画像（ＩＤ＝１０の対象地点情報の画像）を遷移させて表示する場合に用いる情報である。遷移情報は、次再生情報コードを含む。次再生情報コードとは、次の遷移先の画像のコンテンツ情報を示す情報コードである。
【００６８】
ＩＤ＝５０の駐車場情報は、センター装置３０において予め登録されている駐車場に関する情報である。駐車場情報は、例えばセンター装置３０において予め登録されている駐車場の駐車場ＩＤ、満空情報の他、入口情報、営業時間、初期料金等である。
【００６９】
ＩＤ＝６０の運転支援情報は、駐車場の出入口付近や駐車場内の合流分岐、速度案内等、敷地内の運転に関して運転の補助となる情報である。運転支援情報は、例えば運転支援のための運転支援画像データ、当該コンテンツ情報を受信した際に情報の内容を発話することによりユーザに知らせるための音声案内を行うのに用いられる運転支援表音文字列データ等である。
【００７０】
ＩＤ＝８０の嗜好データは、上述したように配信するコンテンツ情報の選択に用いる情報である。嗜好データは、例えば嗜好データのバージョン、そのバージョンで定められている嗜好データの名称を示す表示用テキスト、表音文字列、詳細情報等からなる。
【００７１】
なお、この他、異なる番号のＩＤを付与して新たな情報内容を定義してもよい。上記の各ＩＤの情報が必ずしも全てコンテンツ情報に含まれている必要はなく、必要に応じてコンテンツ情報に含められる。例えば、あるコンテンツ情報ＩＤ＝００〜０５により特徴付けられた情報を持ち、また別のあるコンテンツ情報はＩＤ＝００〜０５、ＩＤ＝５０、ＩＤ＝６０により特徴付けられた情報を持つ。尚、ＩＤ＝００〜０５は基本的な情報であり、全てのコンテンツ情報は、これらのＩＤの情報を持つ。
【００７２】
また、代替コンテンツ情報とは、コンテンツ情報の有効期限情報が現在の日時情報よりも前の日時である場合に代替されるコンテンツ、当該コンテンツを提供するサービス事業者の情報等の他の配信すべき情報を含めたひとまとまりの情報であり、ＩＤ＝００〜０５、ＩＤ＝１０が少なくとも含まれている。
なお、代替コンテンツ情報は、コンテンツ情報のサービス事業者コード、企業コード、情報コードを除くデータの内容が異なる以外は（例えば、ＩＤ＝１０の表示用画像データのみ異なる等）、データ構成は同一でるため、代替コンテンツ情報のフォーマットの図示及び説明は省略する。
【００７３】
通信部３５は、路側無線装置２０とＤＳＲＣ通信又はその他の無線通信を行うための通信用インターフェイスを備え、制御部３１の通信制御に従って通信処理を実行し、第１通信手段として機能する。
【００７４】
次に、動作について説明する。
図７を参照して、コンテンツ情報を配信する際におけるセンター装置３０、路側無線装置２０、車載器１０の処理の流れを説明する。
【００７５】
図７に示すように、まず車両Ｃのエンジンが起動され車載器１０の電源が投入されると（ステップＳ１）、制御部４は、車載器１０の特性情報を生成し、記憶部３ｃのアップリンク情報記憶領域３ｃ１に書き込む（ステップＳ２）。制御部４は、表示部１ｅ等の各部に問い合わせて、或いは予め記憶部１ｆに記憶されている情報を読み出す等して特性情報を取得し、アップリンク情報記憶領域３ｃ１の対応する領域に書き込む。なお、実際には制御部４が書込を指示する制御情報をＤＳＲＣ制御部３ａに出力し、このＤＳＲＣ制御部３ａがアップリンク情報記憶領域３ｃ１に書き込む。
【００７６】
その後、車両Ｃが走行を開始し、路側無線装置２０の路側エリアＺに進入すると（エリアイン）、路側無線装置２０は、車両Ｃを検出し、車載器１０のＤＳＲＣ制御部３ａがアップリンク情報記憶領域３ｃ１とＤＳＲＣ通信による接続処理を開始する（ステップＳ３ａ、Ｓ３ｂ）。すなわち、路側無線装置２０は、ＤＳＲＣの電波を送出し、車載器１０からの応答が得られると、通信路を確立する。路側無線装置２０は、通信路を確立するとセンター装置３０に対し接続が完了した旨の通知情報を送信する（ステップＳ４ａ）。一方、車載器１０のＤＳＲＣ部３は、制御部４に対し接続が完了した旨の通知情報を出力する（ステップＳ４ｂ）。
【００７７】
次いで、路側無線装置２０が車載器１０のＤＳＲＣ部３に対し、アップリンク情報記憶領域３ｃ１内の情報の送信要求を行うと、ＤＳＲＣ部３は、アップリンク情報記憶領域３ｃ１に書き込まれている特性情報を路側無線装置２０に送信する（ステップＳ５）。特性情報は、路側無線装置２０を介してセンター装置３０に送信される。
次いで、制御部４は、アップリンク情報を生成し、アップリンク情報記憶領域３ｃ１に書き込む（ステップＳ６）。
【００７８】
センター装置３０は、車載器１０に対し定期的にポーリングを行って（ステップＳ７）、アップリンク情報記憶領域３ｃ１に書き込まれたアップリンク情報を要求する。
車載器１０のＤＳＲＣ部３は、センター装置３０からのポーリングに応じてアップリンク情報記憶領域３ｃ１に記憶されているアップリンク情報を、路側無線装置２０を介してセンター装置３０に送信する（ステップＳ８）。
【００７９】
センター装置３０は、記憶部３４に記憶されているコンテンツ情報のうち、受信した特性情報及びアップリンク情報に応じたコンテンツ情報を読み出して車載器１０に送信し、また、後述する代替コンテンツ情報送信処理を実行する（ステップＳ９）。
車載器１０では、受信したコンテンツ情報を記憶部１ｆに保存し、また、代替コンテンツ情報を上書き保存するコンテンツ情報保存処理を実行する（ステップＳ１０）。
【００８０】
その後、センター装置３０は、配信すべきコンテンツ情報を全て配信した後、配信終了を通知するメッセージ情報を制御部３１が生成して車載器１０に送信する（ステップＳ１１）。この配信終了のメッセージ情報は、ユーザに対しエリアアウトを促すためのものであり、車載器１０はこのメッセージ情報を表示する。その後、一定時間路側無線装置２０との通信が途絶えると、車載器１０の制御部４は配信を終了したと判断してアップリンク情報を削除する制御を行う（ステップＳ１２）。この制御に応じて、ＤＳＲＣ制御部３ａはアップリンク情報記憶領域３ｃ１内のアップリンク情報を削除する。
【００８１】
次に、センター装置３０においてステップＳ９で実行される代替コンテンツ情報送信処理を説明する。図８に、代替コンテンツ情報送信処理のフローチャートを示す。
なお、図８に示す処理はセンター装置３０の制御部３１が各部と協働して実行するものとする。
【００８２】
制御部３１は、ステップＳ４ａにより路側無線装置２０から車載器１０との接続が完了した旨の通知情報を受信した後（ステップＳ２１）、ステップＳ７によりポーリングを行なってアップリンク情報の送信要求を行う（ステップＳ２２）。
【００８３】
制御部３１は、アップリンク情報を受信したか否かを判別し（ステップＳ２３）、アップリンク情報を受信していない場合（ステップＳ２３；Ｎｏ）、車載器との接続が継続されているか否かを判別し（ステップＳ２４）、車載器との接続が継続されている場合（ステップＳ２４；Ｙｅｓ）、ステップＳ２２に戻り、車載器との接続が継続されていない場合（ステップＳ２４；Ｎｏ）、本処理を終了する。
【００８４】
制御部３１は、アップリンク情報を受信した場合（ステップＳ２３；Ｙｅｓ）、受信したアップリンク情報に含まれる受信／再生履歴の情報を取得し（ステップＳ２５）、取得した受信／再生履歴の情報から受信情報コードを抽出する。そして、記憶部３４に記憶されているコンテンツ情報のうち当該受信情報コードと情報コードが一致するコンテンツ情報を検索する（ステップＳ２６）。
【００８５】
制御部３１は、記憶部３４に記憶されているコンテンツ情報のうち受信情報コードと情報コードが一致するコンテンツ情報の有無を判別する（ステップＳ２７）。
【００８６】
制御部３１は、受信情報コードと情報コードが一致するコンテンツ情報がない場合（ステップＳ２７；Ｙｅｓ）、アップリンク情報に他の受信／再生履歴の情報があるか否かを判別する（ステップＳ２８）。
【００８７】
制御部３１は、他の受信／再生履歴の情報がある場合（ステップＳ２８；Ｙｅｓ）、他の受信／再生履歴の情報を取得し（ステップＳ２９）、ステップＳ２６に進み、他の受信／再生履歴の情報がない場合（ステップＳ２８；Ｎｏ）、本処理を終了する。
【００８８】
制御部３１は、記憶部３４に記憶されているコンテンツ情報のうち受信情報コードと情報コードが一致するコンテンツ情報がある場合（ステップＳ２７；Ｙｅｓ）、受信情報コードと情報コードが一致するコンテンツ情報の有効期限の情報を取得し（ステップＳ３０）、また、現在の日時情報を取得する（ステップＳ３１）。
【００８９】
制御部３１は、取得した有効期限の情報と現在の日時情報とを比較し、現在の日時情報よりも前の最終年月日時分秒の有効期限のコンテンツ情報であるか否か、即ち、現在の日時は、有効期限の情報を取得したコンテンツ情報の有効期限の期間（開始年月日時分秒から終了年月日時分秒までの期間）を過ぎている（有効期限切れ）か否かを判別する（ステップＳ３２）。
【００９０】
制御部３１は、有効期限の情報を取得したコンテンツ情報が有効期限切れでない場合（ステップＳ３２；Ｎｏ）、ステップＳ２８に進み、有効期限切れである場合（ステップＳ３２；Ｙｅｓ）、代替コンテンツ情報の情報コードに取得した受信情報コードを設定し、当該代替コンテンツ情報を車載器１０へ送信させ（ステップＳ３３）、ステップＳ２８へ進む。
【００９１】
次に、車載器１０においてステップＳ１０で実行されるコンテンツ情報保存処理を説明する。図９に、コンテンツ情報保存処理のフローチャートを示す。
なお、図９に示す処理は車載器１０の制御部４が各部と協働して実行するものとし、コンテンツ情報を受信する度に実行されるものである。
【００９２】
制御部４は、センター装置３０からコンテンツ情報を受信すると、受信したコンテンツ情報（以下、受信コンテンツ情報）からサービス事業者コード、企業コード、情報コードを抽出する（ステップＳ４１）。
【００９３】
そして、制御部４は、記憶部１ｆ内に記憶されているコンテンツ情報のうち、抽出したサービス事業者コード、企業コード、情報コードの各コードを有するコンテンツ情報があるか否かを判別する（ステップＳ４２）。
【００９４】
制御部４は、抽出したサービス事業者コード、企業コード、情報コードを有するコンテンツ情報が無い場合（ステップＳ４２；Ｎｏ）、受信コンテンツ情報にファイル名を付加して記憶部１ｆに記憶させ（ステップＳ４３）、本処理を終了する。
【００９５】
制御部４は、抽出したサービス事業者コード、企業コード、情報コードを有するコンテンツ情報がある場合（ステップＳ４２；Ｙｅｓ）、当該コンテンツ情報（以下、コード一致コンテンツ情報）のファイル名を取得し（ステップＳ４４）、受信コンテンツ情報をコード一致コンテンツ情報とは異なるファイル名で記憶部１ｆに記憶させる（ステップＳ４５）。
【００９６】
制御部４は、ステップＳ４５後、コード一致コンテンツ情報を記憶部１ｆから削除し（ステップＳ４６）、受信コンテンツ情報のファイル名をステップＳ４６において削除したコード一致コンテンツ情報のファイル名に書き換えて変更（リネーム）し（ステップＳ４７）、本処理を終了する。
【００９７】
次に、車載器１０において実行されるコンテンツ情報の表示処理を説明する。
車載器１０の記憶部１ｆに記憶されているコンテンツ情報は、ＩＤ＝３０の遷移情報の次再生情報コードに基づいて各コンテンツ情報によるコンテンツの画面遷移のツリー構造を構成している。
【００９８】
図１０に、画面遷移のツリー構造の例を示し、また、図１０に示すコンテンツ情報の画面遷移に係る各種情報の設定例を図１１に示す。
図１０、図１１に示すように、例えば、コンテンツ情報Ａには、画面遷移先を示す次再生情報コードとしてコンテンツ情報Ｂとコンテンツ情報Ｃの情報コードが設定されている。また、コンテンツ情報Ｃには、画面遷移先を示す次再生情報コードとしてコンテンツ情報Ｄの情報コードが設定されている。
【００９９】
図１１（ａ）は、コンテンツ情報Ｄの有効期限の情報が現在の日時情報よりも前でない場合、即ち、現在の日時情報がコンテンツ情報Ｄの有効期限の終了日時を過ぎていない場合であり、図１１（ｂ）は、コンテンツ情報Ｄの有効期限の情報が現在の日時情報よりも前である場合、即ち、現在の日時情報がコンテンツ情報Ｄの有効期限の終了日時を過ぎた場合（有効期限切れの場合）の例である。
【０１００】
図１１に示すように、現在の日時情報がコンテンツ情報Ｄの有効期限切れの場合には、コンテンツＤにコンテンツＤと同一の情報コードが設定された代替コンテンツＸがコンテンツ情報保存処理により上書き保存されるため、コンテンツＣの画面遷移先として代替コンテンツＸが設定されることとなる。
従って、ユーザにより、コンテンツ情報Ｃの画面からコンテンツ情報Ｄの画面の表示の選択指示がある場合、コンテンツ情報Ｄが有効期限切れでない場合には、コンテンツ情報Ｄの画面が表示されるが、有効期限切れである場合には、代替コンテンツ情報Ｘの画面が表示されることとなる。
【０１０１】
図１２に、代替コンテンツ情報Ｘに基づく代替画面例を示す。
図１２に示すように、代替コンテンツ情報Ｘに基づく代替画面Ｇ１には、ユーザが選択したコンテンツ情報が有効期限切れである旨を示すメッセージ領域Ｍ１と、当該代替画面Ｇ１の遷移元である画面を表示する戻るボタンＢ１とが設けられている。
【０１０２】
有効期限切れのコンテンツ情報に基づく画面に替えて、代替コンテンツ情報に基づく代替画面が表示されるため、有効期限切れのコンテンツ情報が引き続き提示（表示）されることがなくなり、ユーザは常にコンテンツ情報の有効期限を意識する必要がなくなる。
【０１０３】
［第２実施形態］
第２実施形態に係る配信システムの構成、路側無線装置及び路側エリアの説明、アップリンク情報の例、コンテンツ情報、代替コンテンツ情報は、第１実施形態と同一であるため、これらの図示及び説明は省略し、異なる動作部分のみ説明する。
【０１０４】
まず、車載器１０について説明する。車載器１０の構成を示す図は、第１実施形態と同一であるため、図示は省略し、異なる部分のみ説明する。
【０１０５】
本第２実施形態における記憶部１ｆは、センター装置３０から受信した複数のコンテンツ情報や代替コンテンツ情報を記憶し、第２記憶手段として機能する。
本第２実施形態の代替コンテンツ情報は、コンテンツ情報の配信以前にセンター装置から配信され、当該コンテンツ情報とは異なるファイ名で保存されるコンテンツ情報である。
【０１０６】
本第２実施形態における制御部４は、センター装置から受信したコンテンツ情報と代替コンテンツ情報とを記憶部１ｆにそれぞれ記憶させ、また、入力部１ｄにからの操作指示に応じて選択されたコンテンツ情報に基づく画面を表示部１ｅに表示させる際、当該コンテンツ情報の有効期限情報が現在の日時情報よりも前の日時である場合（有効期限切れの場合）、代替コンテンツ情報に基づく画面を表示部１ｅに表示させる第２制御手段として機能する。
【０１０７】
次に、センター装置３０について説明する。センター装置３０の機能的構成を示す図は、第１実施形態と同一であるため、図示は省略し、異なる部分のみ説明する。
【０１０８】
本第２実施形態の制御部３１は、受信したアップリンク情報に応じてコンテンツ情報を通信部３５により車載器１０に送信させ、また、当該コンテンツ情報の送信以前に代替コンテンツ情報を通信部３５により車載器１０に送信させる第１制御手段として機能する。
【０１０９】
記憶部３４は、コンテンツ情報と当該コンテンツ情報の有効期限情報が現在の日時情報よりも前の日時である場合に代替される代替コンテンツ情報、或いはコンテンツ情報又は代替コンテンツ情報の作成に用いるパーツの情報のデータベースを記憶する第１記憶手段として機能する。
【０１１０】
次に、動作について説明する。
コンテンツ情報を配信する際におけるセンター装置３０、路側無線装置２０、車載器１０の処理の流れは、第１実施形態と同一であるため、図示は省略し、異なる部分（ステップＳ９、Ｓ１０）のみ説明する。
【０１１１】
センター装置３０は、記憶部３４に記憶されているコンテンツ情報のうち、受信した特性情報及びアップリンク情報に応じたコンテンツ情報又は代替コンテンツ情報を読み出して車載器１０に送信する（ステップＳ９）。
【０１１２】
車載器１０では、受信したコンテンツ情報又は代替コンテンツ情報をそれぞれ制御部４が記憶部１ｆに保存する（ステップＳ１０）。
【０１１３】
次に、本第２実施形態における車載器１０において実行されるコンテンツ情報の表示処理について説明する。車載器１０の記憶部１ｆに記憶されているコンテンツ情報は、ＩＤ＝３０の遷移情報の次再生情報コードに基づいて各コンテンツ情報によるコンテンツの画面遷移のツリー構造を構成している。
【０１１４】
図１３に、画面遷移のツリー構造の例を示し、また、図１３に示すコンテンツ情報の画面遷移に係る各種情報の設定例を図１４に示す。
図１３、図１４に示すように、例えば、コンテンツ情報Ｅには、画面遷移先を示す次再生情報コードとしてコンテンツ情報Ｆとコンテンツ情報Ｇの情報コードが設定されている。また、コンテンツ情報Ｇには、画面遷移先を示す次再生情報コードとしてコンテンツ情報Ｈの情報コードが設定されている。
【０１１５】
また、コンテンツ情報Ｚは、コンテンツ情報Ｅ〜Ｈのいずれかの有効期限の情報が現在の日時情報よりも前である場合、即ち、現在の日時情報がコンテンツ情報Ｅ〜Ｈのいずれかの有効期限の終了日を過ぎた場合（有効期限切れ）場合、当該有効期限切れのコンテンツ情報の替わりに実行される代替コンテンツ情報であり、代替コンテンツ情報である旨を示す予め設定された情報コード（ここでは、「０ｘＦＦ」）が設定されている。
【０１１６】
図１５に、本第２実施形態におけるコンテンツ情報表示処理のフローチャートを示す。なお、図１５に示す処理は車載器１０の制御部４が各部と協働して実行するものとする。
【０１１７】
制御部４は、表示部１ｅに表示されている画面のコンテンツ情報において、入力部１ｄにより当該表示中の画面のコンテンツ情報の画面遷移元又は画面遷移先であるコンテンツ情報の画面を表示させる選択指示の入力を受け付ける画面遷移ボタンが押下されると、表示中の画面のコンテンツ情報から当該画面遷移ボタンに対応する次再生情報コードを取得する（ステップＳ５１）。
【０１１８】
制御部４は、取得した次再生情報コードに対応する情報コードのコンテンツ情報を記憶部１ｆから検索し（ステップＳ５２）、次再生情報コードと一致する情報コードを有するコンテンツ情報（以下、コード一致コンテンツ情報）があるか否かを判別する（ステップＳ５３）。
【０１１９】
制御部４は、コード一致コンテンツ情報がない場合（ステップＳ５３；Ｎｏ）、本処理を終了し、コード一致コンテンツ情報がある場合（ステップＳ５３；Ｙｅｓ）、コード一致コンテンツ情報の有効期限の情報を取得し（ステップＳ５４）、また、現在の日時情報を取得する（ステップＳ５５）。
【０１２０】
制御部４は、取得した有効期限の情報と現在の日時情報とを比較し、コード一致コンテンツ情報は現在の日時情報よりも前の最終年月日時分秒の有効期限であるか否か、即ち、現在の日時は、コード一致コンテンツ情報の有効期限の期間（開始年月日時分秒から終了年月日時分秒までの期間）を過ぎている（有効期限切れ）か否かを判別する（ステップＳ５６）。
【０１２１】
制御部４は、コード一致コンテンツ情報が有効期限切れでない場合（ステップＳ５６；Ｎｏ）、コード一致コンテンツ情報のコンテンツの画面を表示部１ｅに表示させ（ステップＳ５７）、本処理を終了する。
【０１２２】
制御部４は、コード一致コンテンツ情報が有効期限切れである場合（ステップＳ５６；Ｙｅｓ）、記憶部１ｆから代替コンテンツ情報を示す情報コードが設定されたコンテンツ情報（代替コンテンツ情報）を検索し（ステップＳ５８）、代替コンテンツ情報があるか否かを判別する（ステップＳ５９）。
【０１２３】
制御部４は、代替コンテンツ情報がない場合（ステップＳ５９；Ｎｏ）、ステップＳ５７に進み、代替コンテンツ情報がある場合（ステップＳ５９；Ｙｅｓ）、代替コンテンツ情報のコンテンツの画面（例えば、図１２に示す代替画面）を表示部１ｅに表示させ（ステップＳ６０）、本処理を終了する。
【０１２４】
図１６に、本第２実施形態におけるコンテンツ情報表示処理のフローチャートの他の例を示す。なお、図１６に示す処理は車載器１０の制御部４が各部と協働して実行するものとし、入力部１ｄによるコンテンツ情報に基づく画面を遷移させる操作指示が異なる以外は、同様であるため、異なる部分のみ説明する。
【０１２５】
制御部４は、予め記憶部１ｆに登録されている複数のコンテンツ情報の一覧としてのお気に入りリストの画面を表示部１ｅに表示させ、当該お気に入りリストの画面に表示されている複数のコンテンツ情報のうち、いずれか１つのコンテンツ情報を選択する選択指示の入力が受け付けられると、当該選択されたコンテンツ情報の情報コード（お気に入り情報コード）を取得する（ステップＳ７１）。
【０１２６】
制御部４は、取得したお気に入り情報コードに対応する情報コードのコンテンツ情報を記憶部１ｆから検索し（ステップＳ７２）、お気に入り情報コードと一致する情報コードを有するコンテンツ情報（以下、コード一致コンテンツ情報）があるか否かを判別する（ステップＳ７３）。
【０１２７】
以下、ステップＳ７４〜Ｓ８０は、ステップＳ５４〜Ｓ６０と同様であるため、説明は省略する。
【０１２８】
以上のように、第１実施形態及び第２実施形態によれば、有効期限を過ぎたコンテンツ情報の提示を抑止し、有効期限を過ぎたコンテンツ情報による利便性の低下を防止することができる。
【０１２９】
なお、本発明は、上記実施形態に限らず、適宜変更可能であるのは勿論である。
【図面の簡単な説明】
【０１３０】
【図１】配信システムの構成図である。
【図２】路側無線装置及び路側エリアを説明するための図である。
【図３】車載器の構成を示す図である。
【図４】アップリンク情報の例を示す図である。
【図５】センター装置の機能的構成を示す図である。
【図６】コンテンツ情報のフォーマットの一例を示す図である。
【図７】コンテンツ情報を配信する際におけるセンター装置、路側無線装置、車載器の処理の流れを説明する図である。
【図８】代替コンテンツ情報送信処理のフローチャートである。
【図９】コンテンツ情報保存処理のフローチャートである。
【図１０】画面遷移のツリー構造の例である。
【図１１】図１０に示すコンテンツ情報の画面遷移に係る各種情報の設定例を示す図である。
【図１２】代替コンテンツ情報に基づく代替画面例を示す図である。
【図１３】画面遷移のツリー構造の例を示す図である。
【図１４】図１３に示すコンテンツ情報の画面遷移に係る各種情報の設定例を示す図である。
【図１５】コンテンツ情報表示処理のフローチャートである。
【図１６】コンテンツ情報表示処理のフローチャートの他の例である。
【符号の説明】
【０１３１】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  ＶＩＣＳモジュール
３  ＤＳＲＣ部
３ａ  ＤＳＲＣ制御部
３ｂ  ＤＳＲＣ通信部
３ｃ  記憶部
３ｃ１  アップリンク情報記憶領域
３ｄ  ＥＴＣ処理部
３ｅ  ＩＣカードＩ／Ｆ部
４  制御部
５  無線通信部
１０  車載器
２０  路側無線装置
２０ａ  本体装置
２０ｂ  アンテナ
３０  センター装置
３１  制御部
３２  入力部
３３  表示部
３４  記憶部
３５  通信部
４０  無線通信デバイス
１００  配信システム
Ｂ１  戻るボタン
Ｃ  車両
Ｇ１  代替画面
Ｍ１  メッセージ領域
Ｎ  ネットワーク
Ｚ  路側エリア
【図１】
2010054275.tif 000003
【図２】
2010054275.tif 000004
【図３】
2010054275.tif 000005
【図４】
2010054275.tif 000006
【図５】
2010054275.tif 000007
【図６】
2010054275.tif 000008
【図７】
2010054275.tif 000009
【図８】
2010054275.tif 000010
【図９】
2010054275.tif 000011
【図１０】
2010054275.tif 000012
【図１１】
2010054275.tif 000013
【図１２】
2010054275.tif 000014
【図１３】
2010054275.tif 000015
【図１４】
2010054275.tif 000016
【図１５】
2010054275.tif 000017
【図１６】
2010054275.tif 000018